(57)【特許請求の範囲】
【請求項１】
Ｉブランチ及びＱブランチ上でマッピングされる１６ＱＡＭ信号点配置を用いて、Ｉブランチの２つのビットｉ１及びｉ２と、Ｑブランチの２つのビットｑ１及びｑ２を含む４ビットを送信する場合において、不連続送信表示ビット（ＤＴＸビット）を処理するための送信機におけるベースバンド処理方法であって、
（１）Ｉブランチのビットｉ１及びｉ２と、Ｑブランチのビットｑ１及びｑ２とがいずれもＤＴＸビットである場合、Ｉブランチ及びＱブランチでの送信を実行せず、
（２）Ｉブランチのビットｉ１及びｉ２が共にＤＴＸビットであり、かつ、Ｑブランチのビットｑ１及びｑ２にはＤＴＸビットがない場合、ＩブランチでＱブランチのビットを反復し、
（３）Ｑブランチのビットｑ１及びｑ２が共にＤＴＸビットであり、かつ、Ｉブランチのビットｉ１及びｉ２にはＤＴＸビットがない場合、ＱブランチでＩブランチのビットを反復し、
（４）前記４ビットの中に３つのＤＴＸビットと１つの非ＤＴＸビットがある場合、前記３つのＤＴＸビットを前記１つの非ＤＴＸビットで置き換え、
（５）ＩブランチにＤＴＸビットが１つある場合、ＩブランチのＤＴＸビットを、Ｉブランチの非ＤＴＸビットで置き換え、
（６）ＱブランチにＤＴＸビットが１つある場合、ＱブランチのＤＴＸビットを、Ｑブランチの非ＤＴＸビットで置き換えること、
を含むことを特徴とする方法。
【請求項２】
単一周波数ネットワーク上でのマルチメディア・ブロードキャスト・マルチキャスト・サービス（ＭＢＳＦＮ）送信のために、セカンダリ共通制御物理チャネル（Ｓ−ＣＣＰＣＨ）のＤＴＸビットを処理するときに、前記（１）から（６）を実行することを特徴とする請求項１に記載の方法。
【請求項３】
Ｉブランチ及びＱブランチ上でマッピングされる１６ＱＡＭ信号点配置を用いて送信する場合において、不連続送信表示ビット（ＤＴＸビット）を処理する様に構成された送信機（３４）であって、
前記送信機はベースバンド処理手段（４６）を含み、Ｉブランチの２つのビットｉ１及びｉ２と、Ｑブランチの２つのビットｑ１及びｑ２を含む４ビットに対して、前記ベースバンド処理手段は、
（１）Ｉブランチのビットｉ１及びｉ２と、Ｑブランチのビットｑ１及びｑ２とがいずれもＤＴＸビットである場合、Ｉブランチ及びＱブランチでの送信を実行せず、
（２）Ｉブランチのビットｉ１及びｉ２が共にＤＴＸビットであり、かつ、Ｑブランチのビットｑ１及びｑ２にはＤＴＸビットがない場合、ＩブランチでＱブランチのビットを反復し、
（３）Ｑブランチのビットｑ１及びｑ２が共にＤＴＸビットであり、かつ、Ｉブランチのビットｉ１及びｉ２にはＤＴＸビットがない場合、ＱブランチでＩブランチのビットを反復し、
（４）前記４ビットの中に３つのＤＴＸビットと１つの非ＤＴＸビットがある場合、前記３つのＤＴＸビットを前記１つの非ＤＴＸビットで置き換え、
（５）ＩブランチにＤＴＸビットが１つある場合、ＩブランチのＤＴＸビットを、Ｉブランチの非ＤＴＸビットで置き換え、
（６）ＱブランチにＤＴＸビットが１つある場合、ＱブランチのＤＴＸビットを、Ｑブランチの非ＤＴＸビットで置き換える、
様に構成されていることを特徴とする送信機。
【請求項４】
単一周波数ネットワーク上でのマルチメディア・ブロードキャスト・マルチキャスト・サービス（ＭＢＳＦＮ）送信のために、セカンダリ共通制御物理チャネル（Ｓ−ＣＣＰＣＨ）のＤＴＸビットを処理する様に構成されていることを特徴とする請求項３に記載の送信機。
【請求項５】
請求項３又は４に記載の送信機（３４）を含むことを特徴とする無線基地局ノード（３８）。
【発明の詳細な説明】
【技術分野】
【０００１】
本願は、２００８年１２月１７日出願の“Ｍｅｔｈｏｄｓ  Ｆｏｒ  Ｈａｎｄｌｉｎｇ  ＤＴＸ  Ｂｉｔｓ  Ｉｎ  Ｃｏｎｎｅｃｔｉｏｎ  ｗｉｔｈ  １６ＱＡＭ”と題された米国仮特許出願第６１／１３８，２０５号の優先及び利益を主張するものであり、それを参照により本願に援用する。本発明は電気通信に関し、詳細には、１６ＱＡＭの信号点配置を用いて送信する場合に、不連続送信表示ビットを扱うための送信機におけるベースバンド処理の方法及び装置に関する。
【背景技術】
【０００２】
典型的なセルラ無線システムでは、無線端末（移動局及び／又はユーザ装置ユニット（ＵＥ）としても知られる）は、無線アクセス・ネットワーク（ＲＡＮ）経由で１つ以上のコア・ネットワークと通信する。無線アクセス・ネットワーク（ＲＡＮ）はある地理的エリアをカバーしており、その地理的エリアは、複数のセル・エリアに分割され、各セル・エリアは、基地局、例えば、無線基地局（ＲＢＳ）によってサービスが提供されており、無線基地局は、一部のネットワークでは“ノードＢ”とも呼ばれる。セルとは、基地局の場所で無線基地局装置によって無線カバレージが提供される地理的エリアのことである。各セルは、ローカル無線エリアの範囲内で、セル内に報知されるＩＤによって識別される。基地局は、無線周波数で動作する無線インタフェースで、基地局の範囲内のユーザ装置ユニット（ＵＥ）と通信する。
【０００３】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した、第三世代移動体通信システムであり、広帯域符号分割多元接続（ＷＣＤＭＡ）技術に基づく改良型の移動体通信サービスを提供することを目的としている。ＵＴＲＡＮは、本質的には、ユーザ装置ユニット（ＵＥ）について広帯域符号分割多元接続を用いる無線アクセス・ネットワークである。
【０００４】
第三世代パートナシップ・プロジェクト（３ＧＰＰ）として知られるフォーラムにおいて、通信事業者各社が、第三世代ネットワーク、具体的にはＵＴＲＡＮについての標準を提案して合意に至っており、データ・レートと無線容量の強化のために調査研究を行っている。
【０００５】
マルチメディア・ブロードキャスト・マルチキャスト・サービス（ＭＢＭＳ）は、既存のＧＳＭ及びＵＭＴＳセルラ・ネットワーク経由で提供され得る同報サービスである。ＭＢＭＳは、各終端装置へのポイント・ツー・ポイントのリンクの代わりに、コア・ネットワーク内でのマルチキャスト配信を用いる。ＭＢＭＳは、一度の共用送信によって、各送信機の送信範囲内の総ての移動電話のユーザに対して同時に送出された、デジタル形式のマルチメディアを、共用する同報通信によって、セルラ・ネットワークが配信することを可能にする。ＭＢＭＳは、３ＧＰＰの各グループで標準化が行われており、第１段階の標準は、ＵＭＴＳリリース６に記載されている。
【０００６】
単一周波数ネットワークでのＭＢＭＳ（ＭＢＳＦＮ）は、３ＧＰＰのＵＴＲＡシステムリリース７において先ごろ仕様が定められた。ＭＢＳＦＮリリース７は、リリース６の複数セルのＭＢＭＳ伝送で達成できた送信効率を一層高めるため、ＭＢＭＳを更に最適化している。マルチキャスト／ブロードキャスト単一周波数ネットワーク（ＭＢＳＦＮ）の運用では、複数セルからの同じ波形の同時送信を行う。この様に、無線端末（ＵＥ）の受信機は、複数のＭＢＳＦＮセルを１つの大きいセルとして認識する。また、隣接セルにおける伝送からのセル間干渉の代わりに、無線端末は、複数のＭＢＳＦＮセルから送信された信号の構造的な重ね合わせを経験する。Ｇ−ＲＡＫＥの様な高度なＵＥ受信機技術は、マルチパス伝搬の時間差を解消することによって、セル内干渉を除去する。その結果、ＷＣＤＭＡ技術に由来する非常に効率的な無線同報送信が得られる。セル間干渉を除去する強化策では、ＭＢＳＦＮ送信のために予約された下りリンク搬送波上で共通スクランブル符号を利用する。同報されるデータは、ＭＢＭＳの場合と同じ論理的及び物理的チャネル構造、すなわち、ＭＴＣＨ及びＳ−ＣＣＰＣＨを用いて、制御チャネル、例えばＭＣＣＨ、ＭＩＣＨ及びＭＳＣＨと共に送信される。ＭＢＳＦＮは、電力効率を大幅に改善することから、無線下りリンクにおける制限要因は、電力ではなくて符号である。利用可能な無線リソースを有効に活用するため、ＭＢＳＦＮのために１６ＱＡＭ変調が導入された。ＵＥでの電池の消費を大きく削減するためには、送信時間間隔（ＴＴＩ）毎にサービスを多重化することすら可能である。例えば、非特許文献１を参照されたい。
【０００７】
この様に、ＭＢＳＦＮは、リリース６のＭＢＭＳと比較して、大幅に高いスペクトル効率を提供し、専用のＭＢＭＳ搬送波で高速ビット・レートを必要とするモバイルＴＶサービスを同報することを主な目的としている。同報に限定されるため、ＭＢＳＦＮは本質的に、対になっていない周波数帯での送信を対象としている。
【０００８】
単一周波数ネットワーク（ＳＦＮ）送信では、複数の基地局が同じ波形を同時に送信することにより、端末は、あたかも１つの大きいセルであるかの様に、総ての基地局からの信号を受信する。ＵＴＲＡシステムにとって、ＳＦＮ送信は、時間的に同期したノードＢの集まりが、同じチャネライゼーション符号及び同じスクランブル符号を用いて同じコンテンツを送信することを暗示する。ＳＦＮ送信について、端末が２つの基地局から受信している図１を用いて説明する。セル固有のスクランブルを用いる場合、右側の基地局からの送信は、隣接セルの端末にとってはセル間干渉となる。しかし、単一周波数ネットワークでは、セル間干渉は、端末受信機が所望の信号として考慮しうる追加のマルチパスとして見える様になり、結果として、カバレージがかなり向上する。
【０００９】
ＭＢＳＦＮは、専用のＭＢＭＳ搬送波でのＭＢＭＳポイント・ツー・マルチポイント（ｐｔｍ）送信のためのＳＦＮ運用をサポートすることによって、リリース６のＭＢＭＳ物理レイヤを強化している。また、サービスの不連続受信（ＤＲＸ）を可能にして、端末の電池消費を低減させるために、より高速のサービス・ビット・レート及びサービスの効率的な時分割多重をサポートする。ＭＢＳＦＮは、リリース６のＭＢＭＳのｐｔｍ送信に用いられるのと同じタイプのチャネルを使用する。
【００１０】
ＭＢＳＦＮの特性をいずれかの既存のＵＴＲＡシステムに円滑に統合することを目的として、ＭＢＳＦＮは、ＦＤＤ及びＴＤＤに基づく物理レイヤの下りリンク（ＤＬ）チャネル構造の仕様を定ており、従って、ＷＣＤＭＡに基づくＭＢＳＦＮ（ＦＤＤ）と、ＴＤ−ＳＣＤＭＡに基づくＭＢＳＦＮ（ＴＤＤ）と、ＴＤ−ＣＤＭＡに基づくＭＢＳＦＮ（ＴＤＤ）とを包含する。ＦＤＤでのＭＢＳＦＮは、データの送信にＷＣＤＭＡのＤＬ物理レイヤ・チャネルを使用し、対になる上りリンクの送信は行われない。ＴＤＤでのＭＢＳＦＮでは、ネットワークが同報用に最適化されるなら、総てのスロットは下りリンクの送信に用いられる。従って、ＭＢＳＦＮでは複信にはならず、ＦＤＤとＴＤＤに基づくＭＢＳＦＮの違いは、主に、物理レイヤのスロット形式と、モバイルＴＶサービスが時間多重化される方法と、ＴＤＤの選択肢がＴＤ−ＳＣＤＭＡ及び７．６８ＭｃｐｓのＴＤ−ＣＤＭＡの場合のチップレートとに関するものになる（第３のＴＤＤの選択肢である３．４８ＭｃｐｓのＴＤ−ＣＤＭＡのチップレートは、ＦＤＤと同じである。）。
【００１１】
総て下りリンクのスロットとして送信する場合、ＴＤＤとＦＤＤとの意味は、送信において複信とはならないという意味で、その違いはなくなる。上述した様に、相違点は、基本的に、下りリンクの物理チャネルの構造である。従って、非特許文献２（参照により本願に援用する）は、ＷＣＤＭＡに基づくＭＢＳＦＮという手法を、総てのスロットが同報専用とされる第４のＴＤＤの選択肢として仕様を定めている。この第４のＴＤＤの選択肢は、ＭＢＳＦＮ統合移動ブロードキャスト（ＩＭＢ）と呼ばれ、３ＧＰＰのＵＴＲＡシステムのリリース８が対象としている。ＭＢＳＦＮのＩＭＢは、関連するＴＤＤのＲＦの要求条件を満たしている。
【００１２】
デジタル変調スキームは、どの様にビットが送信信号の位相及び振幅にマッピングされるかを決めることを利用している。連続する各ビット・シーケンスは、１つの変調シンボルにマッピングされ、その位相と振幅は、複数の可能な信号配置点の１つに対応する。様々な変調スキームについて、変調シンボル毎に伝達されるビット数は、ＢＰＳＫでは１、ＱＰＳＫでは２、１６ＱＡＭでは４、６４ＱＡＭでは６である。従って、変調次数がより高いことは、所与のシンボル・レートについて、より大きなピーク・データ・ビット・レートが達成可能であることを意味する。ＨＳＰＡ（３ＧＰＰリリース６）は、下りリンクでＱＰＳＫ変調及び１６ＱＡＭ変調スキームをサポートし、上りリンクでＢＰＳＫ変調及びＱＰＳＫ変調スキームをサポートする。ＭＢＳＦＮリリース７とＭＢＳＦＮ  ＩＭＢとはいずれも、スペクトル効率を高めるより高次の変調を導入する。
【００１３】
ＭＢＳＦＮのＩＭＢのトランスポート・チャネルのベースバンド処理は、通常のＱＰＳＫに加えて、１６ＱＡＭの信号点配置を用いてセカンダリ共通制御物理チャネル（Ｓ−ＣＣＰＣＨ）上でデータをマッピングする可能性を有する。１６ＱＡＭを用いるＨＳＤＰＡとは対照的に、不連続送信（ＤＴＸ）表示ビット（あるいは、以下では不連続送信ビット又はＤＴＸビットとも呼ぶ）は、参照により本願に援用する非特許文献３に記載されている様に、Ｓ−ＣＣＰＣＨ無線フレームを埋めるために使用される。
【００１４】
ＱＰＳＫの場合、図２に示す様に、２ビット（ｉ１，ｑ１）が４つのシンボルのうちの１つにマッピングされる。図２のＱＰＳＫのマッピングの場合、文字“Ａ”は、Ｉ及びＱブランチで送信される信号の振幅を表す。ビットの１つがＤＴＸビットである時、Ｉ及びＱ信号のうち１つだけが送信され、或いは、両方の（ｉ１，ｑ１）がＤＴＸビットである時、信号は全く送信されない。
【００１５】
図３は、１６ＱＡＭ変調の場合を示し、ここでは４ビット（ｉ１，ｑ１，ｉ２，ｑ２）が１６シンボルのうちの１つにマッピングされることになる。図３の“Ａ１”及び“Ａ２”は、Ｉ及びＱブランチ上で送信される信号が取り得る振幅を表す。図３の１６ＱＡＭマッピングについて、振幅のレベルが、Ａ１＝０．４４７２及びＡ２＝１．３４１６に対応することは、参照により本願に援用する非特許文献４の記載から理解することができる。
【先行技術文献】
【非特許文献】
【００１６】
【非特許文献１】Ｂｅｒｇｍａｎ、Ｊｏｈａｎ，ｅｔ  ａｌ．，“ＨＳＰＡ  Ｅｖｏｌｕｔｉｏｎ−Ｂｏｏｓｔｉｎｇ  ｔｈｅ  Ｐｅｒｆｏｒｍａｎｃｅ  ｏｆ  Ｍｏｂｉｌｅ  Ｂｒｏａｄｂａｎｄ  Ａｃｃｅｓｓ”、Ｅｒｉｃｓｓｏｎ  Ｒｅｖｉｅｗ  Ｎｏ．１、２００８、ｐ．３２
【非特許文献２】“Ｗｏｒｋ  ｉｔｅｍ  ｄｅｓｃｒｉｐｔｉｏｎ  ｏｆ  ３．８４Ｍｃｐｓ  ＴＤＤ  ＭＢＳＦＮ  Ｉｎｔｅｇｒａｔｅｄ  Ｍｏｂｉｌｅ  Ｂｒｏａｄｃａｓｔ”、ＲＰ−０８１１２４
【非特許文献３】“Ｍｕｌｔｉｐｌｅｘｉｎｇ  ａｎｄ  ｃｈａｎｎｅｌ  ｃｏｄｉｎｇ（ＦＤＤ）”、３ＧＰＰ  ＴＳ２５．２１２、ｖ．８．３．０
【非特許文献４】“Ｓｐｒｅａｄｉｎｇ  ａｎｄ  ｍｏｄｕｌａｔｉｏｎ（ＦＤＤ）”、３ＧＰＰ  ＴＳ２５．２１３、ｖ．８．２．０
【発明の概要】
【発明が解決しようとする課題】
【００１７】
ＱＰＳＫの場合とは対照的に、１つ以上のビットがＤＴＸビットである場合の４つのビットの１６ＱＡＭへのマッピングは、十分に定義されていない。例えば、４ビット（１，ｘ，１，１）は、ＱブランチがＡ２（ｘ＝０）の振幅を持つ信号、或いは、−Ａ２（ｘ＝１）の振幅を持つ信号を送信すると解釈可能である。従って、ＤＴＸビットの場合、１６ＱＡＭの信号点配置のビットとシンボルとの間に１対１のマッピングが存在しない。このため、１６ＱＡＭ変調については不連続送信（ＤＴＸ）ビットの表現には問題がある。表１は、４ビットにおける不連続送信（ＤＴＸ）ビットの可能な組み合わせを示す（“Ｘ”がＤＴＸビットを示し、“Ｂ”が非ＤＴＸビットを示す）。欧州特許出願公開１２７１８７４号明細書も、ＤＴＸビットをダミー・ビットで置き換える、マルチ・レベル変調方法を開示している。
【００１８】
【表１】
0005442025.tif 000002
【課題を解決するための手段】
【００１９】
一態様で開示される技術は、不連続送信ビット（ＤＴＸビット）を処理するための送信機と、送信機の動作方法に関し、詳細には、Ｉブランチ及びＱブランチを有する１６ＱＡＭ信号点配置を用いて（Ｉブランチの２つのビットｉ１及びｉ２と、Ｑブランチの２つのビットｑ１及びｑ２を含む４ビットを）送信する場合に関する。本方法は、（ＩＩ−１）Ｉブランチのビットｉ１及びｉ２と、Ｑブランチのビットｑ１及びｑ２とがいずれもＤＴＸビットである場合、Ｉブランチ及びＱブランチでの送信を行わないことと、（ＩＩ−２）Ｉブランチのビットｉ１及びｉ２が共にＤＴＸビットであり、かつ、Ｑブランチのビットｑ１及びｑ２にはＤＴＸビットがない場合には、ＩブランチでＱブランチのビットを反復することと、（ＩＩ−３）Ｑブランチのビットｑ１及びｑ２が共にＤＴＸビットであり、かつ、Ｉブランチのビットｉ１及びｉ２にはＤＴＸビットがない場合には、ＱブランチでＩブランチのビットを反復することと、（ＩＩ−４）４ビットの中に３つのＤＴＸビットと１つの非ＤＴＸビットがある場合、３つのＤＴＸビットを非ＤＴＸビットで置き換えることと、（ＩＩ−５）ＩブランチのビットにＤＴＸビットが１つある場合、ＩブランチのＤＴＸビットをＩブランチの非ＤＴＸビットで置き換えることと、（ＩＩ−６）Ｑブランチのビットの中にＤＴＸビットが１つある場合、ＱブランチのＤＴＸビットをＱブランチの非ＤＴＸビットで置き換えることとを含む。
【００２０】
また、関連して開示する技術は、Ｉブランチ及びＱブランチを有する１６ＱＡＭ信号点配置を用いて送信する場合に、不連続送信表示ビット（ＤＴＸビット）を処理する様に構成された送信機に関する。送信機は、Ｉブランチの２つのビットｉ１及びｉ２と、Ｑブランチの２つのビットｑ１及びｑ２とを含む４ビットについて、上述した動作（ＩＩ−１）から（ＩＩ−６）のような動作を行う様に構成されたベースバンド処理手段を備える。
【００２１】
開示する技術の別の態様において、無線基地局ノードを操作する方法は、単一周波数ネットワークでのマルチメディア・ブロードキャスト・マルチキャスト・サービス（ＭＢＳＦＮ）送信の実行を含み、ＭＢＳＦＮ送信は、セカンダリ共通制御物理チャネル（Ｓ−ＣＣＰＣＨ）にデータをマッピングすることを含む。Ｓ−ＣＣＰＣＨについて、方法は、所定の方針に従って１６ＱＡＭマッピング部を動作させることを含む。所定の方針は、１つ以上の不連続送信（ＤＴＸ）ビットがマッピング部に入力されると、その結果、マッピング部の同相（Ｉ）出力及び直交（Ｑ）出力からの出力値が一義的に決定される様に構成される。
【００２２】
所定の方針は、様々な実施形態及びモードを取り得る。第１の例示的な実施形態及びモードにおいて、所定の方針は、（Ｉ−１）マッピング部への同相（Ｉ）入力ビットが共に不連続送信（ＤＴＸ）ビットである場合、マッピング部は、同相（Ｉ）出力からの出力を行わないことと、（Ｉ−２）マッピング部への直交（Ｑ）入力ビットが共に不連続送信（ＤＴＸ）ビットである場合、マッピング部は、直交（Ｑ）出力からの出力を行わないことと、（Ｉ−３）マッピング部への同相（Ｉ）入力ビットのうちの１つだけが不連続送信（ＤＴＸ）ビットである場合、不連続送信（ＤＴＸ）ビットを、ランダムなビットで置き換えることと、（Ｉ−４）マッピング部への直交（Ｑ）入力ビットのうちの１つだけが不連続送信（ＤＴＸ）ビットである場合、不連続送信（ＤＴＸ）ビットをランダムなビットで置き換えることとを含む。好ましくは、マッピング部の１６ＱＡＭ信号点配置の偏りのない平均パワーを維持するため、ランダムなダミー・ビットが選択されることが望ましい。
【００２３】
第２の例示的な実施形態及びモードにおいて、所定の方針は、（ＩＩ−１）マッピング部への同相（Ｉ）入力ビットｉ１及びｉ２と、マッピング部への直交（Ｑ）入力ビットｑ１及びｑ２がいずれも不連続送信（ＤＴＸ）ビットである場合、マッピング部は、同相（Ｉ）及び直交（Ｑ）出力から出力しないことと、（ＩＩ−２）マッピング部への同相（Ｉ）入力ビットｉ１及びｉ２が共に不連続送信（ＤＴＸ）ビットであり、かつ、直交（Ｑ）入力ビットがいずれも不連続送信（ＤＴＸ）ビットでない場合、第１及び第２の入力同相（Ｉ）不連続送信（ＤＴＸ）ビットｉ１及びｉ２を、それぞれ、第１及び第２の直交（Ｑ）入力ビットで置き換えることと、（ＩＩ−３）マッピング部への直交（Ｑ）入力ビットｑ１及びｑ２が共に不連続送信（ＤＴＸ）ビットであり、かつ、同相（Ｉ）入力ビットｉ１及びｉ２がいずれも不連続送信（ＤＴＸ）ビットでない場合、第１及び第２の入力直交（Ｑ）不連続送信（ＤＴＸ）ビットｑ１及びｑ２を、それぞれ、第１及び第２の同相（Ｉ）入力ビットｉ１及びｉ２で置き換えることと、（ＩＩ−４）マッピング部に入力される４ビットの中に３つの不連続送信（ＤＴＸ）ビットと１つの非不連続送信（ＤＴＸ）ビットがある場合、３つの不連続送信（ＤＴＸ）ビットを非不連続送信（ＤＴＸ）ビットで置き換えることと、（ＩＩ−５）マッピング部への同相（Ｉ）入力ビットのうちの１つだけが不連続送信（ＤＴＸ）ビットである場合、不連続送信（ＤＴＸ）ビットを、対である非不連続送信（ＤＴＸ）同相（Ｉ）入力ビットで置き換えることと、（ＩＩ−６）マッピング部への直交(Ｑ)入力ビットのうちの１つだけが不連続送信（ＤＴＸ）ビットである場合、不連続送信（ＤＴＸ）ビットを、対である非不連続送信（ＤＴＸ）直交（Ｑ）入力ビットで置き換えることを含む。
【００２４】
第３の例示的な実施形態及びモードにおいて、１６ＱＡＭマッピング部は、シンボルの１６ＱＡＭ信号点配置を利用する様に構成され、信号点配置の各シンボルは、振幅の集合｛Ａ２，Ａ１，−Ａ１，−Ａ２｝の１つの振幅を有し、ここで、所定の方針は、（ＩＩＩ−１）マッピング部への同相（Ｉ）入力ビットｉ１及びｉ２が共に不連続送信（ＤＴＸ）ビットであり、かつ／或いは、マッピング部への直交（Ｑ）入力ビットｑ１及びｑ２が共に不連続送信（ＤＴＸ）ビットである場合、マッピング部は、同相（Ｉ）及び直交（Ｑ）出力から送信は行わないことと、（ＩＩＩ−２）マッピング部への同相（Ｉ）入力ビットのうちの１つだけが不連続送信（ＤＴＸ）ビットである場合、不連続送信（ＤＴＸ）ビットを表Ｃに従ってダミー・ビットで置き換えることと、（ＩＩＩ−３）マッピング部への直交（Ｑ）入力ビットのうちの１つだけが不連続送信(ＤＴＸ)ビットである場合、不連続送信（ＤＴＸ）ビットを所定の表に従ってダミー・ビットで置き換えることとを含む。
【００２５】
第４の例示的な実施形態及びモードにおいて、所定の方針は、（ＩＶ−１）マッピング部への同相（Ｉ）入力ビットとマッピング部への直交（Ｑ）入力ビットとがいずれも不連続送信（ＤＴＸ）ビットである場合、マッピングは、同相（Ｉ）出力及び直交（Ｑ）出力からの送信を行わないことと、（ＩＶ−２）マッピング部に入力される４ビットの総てではなく、かつ、少なくとも１つが不連続送信（ＤＴＸ）ビットである場合、不連続送信（ＤＴＸ）ビットをランダムなダミー・ビットで置き換えることとを含む。
【００２６】
第５の例示的な実施形態及びモードにおいて、所定の方針は、（Ｖ−１）不連続送信（ＤＴＸ）ビットである入力４ビットを、マッピング部への入力ビットとして、ランダムなダミー・ビットで置き換えることを含む。
【００２７】
第１、第４、第５の例示的な実施形態及びモードにおいて、ランダムなダミー・ビットは、ＭＢＳＦＮ送信に共に参加している他の無線基地局ノードとも協調して選択されることが望ましい。
【００２８】
第１、第４、第５の例示的な実施形態及びモードにおいて、ランダムなダミー・ビットは、マッピング部の１６ＱＡＭ信号点配置の偏りのない平均パワーを維持する様に選択されることが望ましい。
【００２９】
別の態様において、開示する技術は、無線基地局ノードに関する。無線基地局ノードは、エア・インタフェース経由で無線端末にＭＢＳＦＮ送信を提供する様に構成された送信機と、１６ＱＡＭのマッピング部とを備える。１６ＱＡＭのマッピング部は、所定の方針によりデータをＳ−ＣＣＰＣＨにマッピングする様に構成され、その結果、マッピング部に入力される１つ以上の不連続送信（ＤＴＸ）ビットにより、マッピング部の同相（Ｉ）出力及び直交（Ｑ）出力の出力値が一義的に決定される。所定の方針は、例えば、前述の例示的な実施形態及びモードのうちのいずれか１つ以上であり得る。
【００３０】
本発明の上述した又は他の目的、特徴、利点は、添付の図面を用いて行う好ましい実施形態の記述から明らかになり、各図において、同じ参照文字は、同じ部分を参照する。各図面は、実際の縮尺にはなっておらず、逆に、本発明の原理を説明する際に強調が施されている。
【図面の簡単な説明】
【００３１】
【図１】マルチメディア・ブロードキャスト・マルチキャスト・サービス単一周波数ネットワークにおけるマルチパス送信を説明する図。
【図２】４シンボルの１つに対応する２ビットのＱＰＳＫ変調マッピングを説明する図。
【図３】１６のシンボルの１つに対応する４ビットの１６ＱＡＭ変調マッピングを説明する図。
【図４Ａ】単一周波数ネットワークにおける無線端末へのマルチメディア・ブロードキャスト・マルチキャスト・サービス送信に適した基地局ノードを示す図。
【図４Ｂ】単一周波数ネットワークにおけるマルチメディア・ブロードキャスト・マルチキャスト・サービス送信に適した例示的な通信ネットワークを示す図。
【図５】例示的な送信形成器を含む無線基地局ノードの例示的な部分を示す図。
【図６】送信形成器のマッピング器を動作させる、所定の方針の第１の例示的な実施形態及びモードを含む、基本的で代表的な動作又はステップを説明するフローチャート。
【図７】送信形成器のマッピング器を動作させる、所定の方針の第２の例示的な実施形態及びモードを含む、基本的で代表的な動作又はステップを説明するフローチャート。
【図８】送信形成器のマッピング器を動作させる、所定の方針の第３の例示的な実施形態及びモードを含む、基本的で代表的な動作又はステップを説明するフローチャート。
【図９】送信形成器のマッピング器を動作させる、所定の方針の第４の例示的な実施形態及びモードを含む、基本的で代表的な動作又はステップを説明するフローチャート。
【図１０】送信形成器のマッピング器を動作させる、所定の方針の第５の例示的な実施形態及びモードを含む、基本的で代表的な動作又はステップを説明するフローチャート。
【図１１】ランダムなダミー・ビットの選択に影響する要因の例を説明する図。
【発明を実施するための形態】
【００３２】
以下の具体的な構造、インタフェース、技法等のような個別の詳細は、限定ではなく、本発明の十分な理解の提供を目的として記述するものである。しかし、当業者には明らかであろうが、本発明は、これらの個別の詳細とは異なる他の実施形態で実現可能である。すなわち、当業者は、本明細書で明示的に記述され、表示されていないかもしれないが、本発明の原理を具現化し、その考え及び範囲内に含まれる種々の構成を考案することができるであろう。一部の例では、周知のデバイス、回路及び方法の詳細記述は、不要な詳細の記述により本発明を分かり難くしない様にするため省略されている。ここに述べる本発明の原理、態様及び形態と、その具体例の総ては、その構造的及び機能的な均等物を包含することを意図している。加えて、そのような均等物は、現時点で知られている均等物だけでなく将来開発される均等物、すなわち、構造の如何を問わず、同じ機能を行う様に開発された任意の要素を含むことを意図している。
【００３３】
従って、例えば、当業者には理解されるであろうが、ブロック図は、技術の原理を実施する例示的な回路の概念図を表すことがある。同様に、任意のフローチャート、状態遷移図、疑似コード等は、コンピュータ可読媒体の中で実質的に表され、かつ、コンピュータ又はプロセッサによって実行される種々の処理を示し、それらのコンピュータ又はプロセッサが明示的に示されるか示されないかを問わない。
【００３４】
“コンピュータ”、“プロセッサ”又は“制御部”との表示又は記述されている機能ブロックを含む各要素の機能は、専用のハードウェアや、コンピュータ可読媒体に保存された、コード化された命令の形式のソフトウェアを実行することのできるハードウェアを利用して提供され得る。コンピュータは、一般に１つ以上のプロセッサを含むと理解され、コンピュータ及びプロセッサという用語は、ここでは置換可能なものとして用いる。コンピュータ又はプロセッサによって提供される場合、機能は、単一の専用コンピュータ又はプロセッサによって、単一の共用コンピュータ又はプロセッサによって、或いは、複数の個別のコンピュータ又はプロセッサによって提供されても良く、それらの一部が共有又は分散されても良い。そのような機能は、コンピュータに実装されている、従って、機械に実装されていると理解されるべきである。さらにまた、“プロセッサ”又は“制御部”という用語は、そのような機能を行うことができる及び／又はソフトウェアを実行することができる他のハードウェアのことを示すものと解釈されるべきであり、制限することなく述べると、デジタル信号プロセッサ（ＤＳＰ）ハードウェア、縮小命令セットプロセッサ、ハードウェア（例えばデジタル又はアナログ）回路、及び（必要に応じて）そのような機能を行うことができる状態機械を含むことができる。
【００３５】
図４Ａは、単一周波数ネットワーク（ＳＦＮ）において、無線端末３０へのマルチキャスト・ブロードキャスト・マルチキャスト・サービス（ＭＢＭＳ）送信に参加する複数の無線基地局ノード２８１から２８ｋ（例えば、ノードＢとしても知られる）を示す。複数の無線基地局ノード２８１から２８ｋの１つ以上が、無線インタフェース３２により無線端末３０と通信する。複数の無線基地局ノード２８１から２８ｋの代表的な例として、基地局ノード２８１が送信機３４Ａを備えることを示す。図４Ａに示す様に、送信機３４Ａは、１６ＱＡＭ信号点配置を用いて送信する場合に、不連続送信（ＤＴＸ）ビットを処理する様に構成される。送信機３４Ａは、図６から図１１に示す各実施形態及びモードを参照して以下に記述する所定の方針の１つ以上に従い、１６ＱＡＭ信号点配置を用いて送信する場合に、不連続送信（ＤＴＸ）ビットを処理する様に特に構成される。例えば図４Ａの送信機３４Ａの様な送信機は、図４Ｂ及び図５で記述する送信機３４Ｂのようなタイプの送信機であっても良いが、それに制限されない。
【００３６】
図４Ｂは、単一周波数ネットワークにおいて、ＭＢＭＳ送信に適した例示的な通信ネットワーク１８を示す図である。図４Ｂは特に、ＭＢＭＳコンテンツ・プロバイダ２２を含む、或いは、それと接続するコア・ネットワーク２０を示す。ＭＢＭＳコンテンツ・プロバイダ２２は、ＭＢＭＳサーバ又はサーバ・システムの例示的な形態と考えることができる。ＭＢＭＳコンテンツ・プロバイダ２２からのＭＢＭＳコンテンツは、ＭＢＭＳゲートウェイ２４経由で無線アクセス・ネットワーク２５に送信される。無線アクセス・ネットワーク２５は、（例えばノードＢとしても知られる）複数の無線基地局ノード２８１から２８ｋと、１つ以上の無線端末とを備える。説明を簡単にするために、図４Ｂには無線端末３０を１つだけ示す。
【００３７】
無線端末３０は、無線又はエア・インタフェース３２経由で無線基地局２８と通信する。このために、各無線基地局２８は、基地局送信機３４Ｂを備え、無線端末３０はＵＥ受信機３６を備えている。基地局送信機３４Ｂ及びＵＥ受信機３６は、複数の送信要素（例えば、複数のアンテナ）を含むかもしれず、１つ以上の送受信機を含むかもしれない。
【００３８】
主に記述するＭＢＭＳの態様は、下りリンクの送信、例えば、無線基地局２８から無線端末３０への送信であるという本記述の目的に鑑みて、基地局送信機３４Ａ及び送信機３４Ｂは“送信機”と表され、ＵＥ受信機３６は“受信機”と表される。しかし、理解されるべきだが、これらの要素は、エア・インタフェース３２経由でのユニキャスト通信を促進する他の要素と組み合わされ得る。
【００３９】
無線端末３０は、移動局又はユーザ装置ユニット（ＵＥ）とも呼ばれるが、例えば移動電話（“セルラ”電話）又は無線／セルラ機能を備えたラップ・トップであっても良い。無線端末３０は、１つ以上の無線基地局からＭＢＭＳ／ＭＢＳＦＮ送信を受信する。それと並行して、無線端末は、任意に、１つ以上の無線基地局２８、例えば無線基地局２８１とのユニキャスト通信にも関与しても良い。
【００４０】
説明を簡単にするために、図示する無線基地局２８１は、代表して無線基地局２８として（下付き文字なしで）参照され、従って、無線アクセス・ネットワーク２５の他の無線基地局の構造及び動作の例とする。その様な無線基地局２８は、基地局ＭＢＳＦＮ制御部４０を備える。基地局ＭＢＳＦＮ制御部４０と、無線基地局２８の他のユニット及び機能とは、インタフェース４２経由でＭＢＭＳゲートウェイ２４と、従って、コア・ネットワーク２０と、通信する。
【００４１】
基地局ＭＢＳＦＮ制御部４０は、他のユニット及び機能に加えて、同期部４４を備える。基地局ＭＢＳＦＮ制御部４０の同期部４４は、ＭＢＭＳゲートウェイ２４の対応するマスタ同期部４８と（インタフェース４２経由で）通信する。ＭＢＭＳにおいて、複数の無線基地局２８１から２８ｋからの送信が同期されなければならず、その様な同期は、各無線基地局の同期ユニット４４に接続されているマスタ同期ユニット４８によって実現される。
【００４２】
図４Ｂの特定の無線基地局２８の例において、送信機３４Ｂは、ベースバンド・プロセッサ４６を備える。ベースバンド・プロセッサ４６は、ＭＢＭＳの複数のチャネルについて、例えばフォーマット・データ及び信号を準備する様に構成される。上述した様に、ＭＢＭＳは、ＭＢＭＳトラフィック・チャネル（ＭＴＣＨ：ＭＢＭＳ  Ｔｒａｆｆｉｃ  Ｃｈａｎｎｅｌ）、下りアクセス・チャネル（ＦＡＣＨ：Ｆｏｒｗａｒｄ  Ａｃｃｅｓｓ  Ｃｈａｎｎｅｌ）及びセカンダリ共通制御物理チャネル（Ｓ−ＣＣＰＣＨ：Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）を含む、複数のチャネルを利用する。１つ以上のその様なチャネルをフォーマット（設定）／準備するために、ベースバンド・プロセッサ４６は、１６ＱＡＭ変調手段又は変調器を備えるが、それを本明細書では単純にＱＡＭ５０と呼ぶ。以下に説明する様に、ＱＡＭ５０は、所定の方針に従ってデータをＳ−ＣＣＰＣＨにマッピングする様に構成され、それにより、マッピング部に入力された１つ以上の不連続送信（ＤＴＸ）ビットにより、マッピング部の同相（Ｉ）及び直交（Ｑ）出力値が一義的に決定される。
【００４３】
送信機３４Ｂの詳細を記述する前に、限定しない例示的な実装について、図４Ｂを再び参照すると、無線端末３０は、例えばＵＥのＭＢＳＦＮ制御部５４とＭＢＳＦＮ受信アプリケーション５６を備えている。ＵＥのＭＢＳＦＮ制御部５４は、例えば、ＭＢＭＳの下りリンク送信で受信したデータ及び信号を処理する働きをする。ＭＢＳＦＮ受信アプリケーション５６は、受信したデータを表示又は利用し、従って、ＭＢＭＳコンテンツ・プロバイダ２２によって供給されることが意図された実際のＭＢＭＳコンテンツを描画する働きをする。
【００４４】
図４Ｂの送信機３４Ｂの例示的な一実施形態を図５に示す。上述した様に、ベースバンド・プロセッサ４６は、複数のチャネルをフォーマット／準備することができ、そして、図５に示す構成要素である例示的なユニット及び／又は機能を用いてそれを行うことができる。ベースバンド・プロセッサ４６は、（直並列変換第１部６０（１）及び直並列変換第２部６０（２）を含む）直並列変換部６０と、ＱＡＭ５０とを備える。直並列変換第１部６０（１）は、第１のデータ・ストリームを受信して直並列変換し、直並列変換第２部６０（２）は、第２のデータ・ストリームを受信して直並列変換する。直並列変換部６０は、（例えば、例示的なハードウェア実装における各入力ポートで）ＱＡＭ５０への４つの入力、すなわち、（直並列変換第１部６０（１）からの）同相（Ｉ）入力ビットｉ１及びｉ２、並びに、（直並列変換第２部６０（２）からの）直交（Ｑ）入力ビットｑ１及びｑ２を出力する。図３に示すのと同様に、ＱＡＭ５０は、シンボルの１６ＱＡＭ信号点配置を採用し、各信号点の各シンボルは、振幅の集合｛Ａ２，Ａ１，−Ａ１，−Ａ２｝の１つの振幅を持つ様に構成される。４つの入力ビット（４ビット）に従い、ＱＡＭ５０は、その同相（Ｉ）出力及び直交（Ｑ）出力での信号又は値を適用する。限定しない実装（例えばハードウェア実装）では、同相（Ｉ）出力とその直交（Ｑ）出力とは、それぞれの同相（Ｉ）出力ポート及び直交（Ｑ）出力ポートであっても良い。ＱＡＭ５０の同相（Ｉ）出力と直交（Ｑ）出力からの対である値が、送信要素６２に適用される。送信要素６２は、例えば、他の変調器、増幅器、他の信号処理要素及びアンテナ等を備えることができる。
【００４５】
上述した様に、図４Ａの送信機３４Ａ及び図４Ｂの送信機３４Ｂは、データをＳ−ＣＣＰＣＨにマッピングする様に構成され、それにより、マッピング部に入力される１つ以上の不連続送信（ＤＴＸ）ビットにより、マッピング部の同相（Ｉ）出力及び直交（Ｑ）出力からの出力値が一義的に決定される。本明細書では、“マッピング手段”又は“マッピング部”は、図４Ａの送信機３４Ａ又は図４Ｂの送信機３４Ｂ、特にその構成要素であるＱＡＭ５０を参照している可能性がある。“送信機”又は“送信機３４”に言及するとき、送信機３４Ａと送信機３４Ｂのいずれか、又はその両方が包含される。以下に述べる様に、所定の方針は、様々な実施形態及びモードを取り得る。所定の方針の各々は、１６ＱＡＭ信号点配置の場合にＤＴＸビットを処理するためのベースバンド処理規則（動作）を定義する。所定の方針の各々は、マッピング部が、同相（Ｉ）入力ビット及び直交（Ｑ）入力ビットを受信したと仮定する。理解されるであろうが、図４Ａの送信機３４Ａ及び図４Ｂの送信機３４ＢのＱＡＭ５０は、それぞれ、各所定の方針に関する記載の動作を実行するための手段を備える。その様な手段は、少なくとも１つの例示する実装において、コンピュータ又はプロセッサ等を含むコンピュータに実装された手段であっても良く、これらの用語は本明細書では拡大して定義されている。
【００４６】
図６は、図４Ａの場合には送信機３４Ａを、図４Ｂ及び図５の場合にはＱＡＭ５０を含む送信機３４Ｂを動作させる、所定の方針の第１の例示的実施形態及びモードを含む代表的な動作又はステップを説明する図である。所定の方針の第１の例示的実施形態及びモードは、図６に示す動作（Ｉ−１）から動作（Ｉ−４）を含む。動作（Ｉ−１）は、マッピング部への同相（Ｉ）入力ビットが共に不連続送信（ＤＴＸ）ビットである場合、マッピング部は、同相（Ｉ）出力からの送信を行わないことを含む。動作（Ｉ−２）は、マッピング部への直交（Ｑ）入力ビットが共に不連続送信（ＤＴＸ）ビットである場合、マッピング部は、直交（Ｑ）出力からの送信を行わないことを含む。従って、まとめると、動作（Ｉ−１）及び動作（Ｉ−２）の結果として、Ｉブランチのビット（ｉ１，ｉ２）が共にＤＴＸビットである場合にはＩブランチでの送信は行われず、Ｑブランチのビット（ｑ１，ｑ２）が共にＤＴＸビットである場合にはＱブランチでの送信は行われない。
【００４７】
動作（Ｉ−３）は、マッピング部への同相（Ｉ）入力ビットのうちの１つだけが不連続送信（ＤＴＸ）ビットである場合、不連続送信（ＤＴＸ）ビットを、ランダムに選択したビットで置き換えることを含む。すなわち、動作（Ｉ−３）において、マッピング部は、Ｉブランチのビット（ｉ１，ｉ２）の中の１つのＤＴＸビットを、ランダムなダミー・ビットで置き換える。
【００４８】
動作（Ｉ−４）は、マッピング部への直交（Ｑ）入力ビットのうちの１つだけが不連続送信（ＤＴＸ）ビットである場合、不連続送信（ＤＴＸ）ビットを、ランダムに選択したビットで置き換えることを含む。すなわち、動作（Ｉ−４）において、ＱＡＭ５０は、Ｑブランチのビット（ｑ１，ｑ２）の中の１つのＤＴＸビットを、ランダムなダミー・ビットで置き換える。
【００４９】
動作（Ｉ−３）及び動作（Ｉ−４）、或いは、ランダム・ビットを含む他の動作に関し、０及び１の値をほぼ同じ確率で生成する任意の疑似ランダム・ビット生成器が、ランダムなダミー・ビットを生成するために利用できる。単一周波数での運用を完全に保持するために、ＭＢＳＦＮの運用に参加する総ての基地局が、同じランダム化機構を確実に使用することが、疑似的なランダム値の生成には間接的に要求される。ランダムなダミー・ビットは、マッピング部の１６ＱＡＭ信号点配置の平均出力が偏らない様に選択されることが望ましい。言い換えると、すべての信号配置点は同じ確率で生じるべきであり、その場合、１６ＱＡＭシンボルの全体的な平均は零になる。
【００５０】
図７は、マッピング部、例えば、図４Ａの送信機３４Ａ又は図４Ｂの送信機３４Ｂを動作させる、所定の方針の第２の例示的な実施形態及びモードを含む基本的で代表的な動作又はステップを説明する図である。第２の例示的な実施形態及びモードは、動作（ＩＩ−１）から（ＩＩ−６）を含む。動作（ＩＩ−１）は、両ブランチのビット（ｉ１，ｉ２，ｑ１，ｑ２）が総てＤＴＸビットである場合、Ｉブランチ及びＱブランチでは送信を行わないことを含む。すなわち、動作（ＩＩ−１）においては，マッピング部への同相（Ｉ）入力ビットｉ１及びｉ２と、マッピング部への直交（Ｑ）入力ビットｑ１及びｑ２とがいずれも不連続送信（ＤＴＸ）ビットである場合、マッピング部は、同相（Ｉ）出力及び直交（Ｑ）出力からの送信を行わない。
【００５１】
動作（ＩＩ−２）は、Ｉブランチ上でＱブランチのビットを反復すること、すなわち、Ｉブランチのビット（ｉ１，ｉ２）が共にＤＴＸビットであり、かつ、Ｑブランチのビット（ｑ１，ｑ２）の中にＤＴＸビットがない場合、ｉ１＝ｑ１かつｉ２＝ｑ２に、或いは、ｉ１＝ｑ２かつｉ２＝ｑ１に設定することを含む。すなわち、動作（ＩＩ−２）は、マッピング部への同相（Ｉ）入力ビットｉ１及びｉ２が共に不連続送信（ＤＴＸ）ビットであり、かつ、直交（Ｑ）入力ビットがいずれも不連続送信（ＤＴＸ）ビットでない場合、第１及び第２の入力同相（Ｉ）不連続送信（ＤＴＸ）ビットｉ１及びｉ２をそれぞれ第１及び第２の直交（Ｑ）入力ビットで置き換えることを含む。
【００５２】
動作（ＩＩ−３）は、Ｑブランチ上でＩブランチビットを反復すること、すなわち、Ｑブランチのビット（ｑ１，ｑ２）が共にＤＴＸビットであり、かつ、Ｉブランチのビット（ｉ１，ｉ２）の中にＤＴＸビットがない場合には、ｑ１＝ｉ１かつｑ２＝ｉ２に、或いは、ｑ１＝ｉ２かつｑ２＝ｉ１に設定することを含む。すなわち、動作（ＩＩ−３）は、マッピング部への直交（Ｑ）入力ビットｑ１及びｑ２が共に不連続送信（ＤＴＸ）ビットであり、かつ、同相（Ｉ）入力ビットｉ１及びｉ２がいずれも不連続送信（ＤＴＸ）ビットでない場合、第１及び第２の入力直交（Ｑ）不連続送信（ＤＴＸ）ビットｑ１及びｑ２をそれぞれの第１及び第２の同相（Ｉ）入力ビットｉ１及びｉ２で置き換えることを含む。
【００５３】
動作（ＩＩ−４）は、４ビット（ｉ１，ｑ１，ｉ２，ｑ２）の中に３つのＤＴＸビットがある場合、３つのＤＴＸビットを１つの非ＤＴＸビットで置き換えることを含む。すなわち、動作（ＩＩ−４）は、マッピング部に入力される入力４ビットの中に３つの不連続送信（ＤＴＸ）ビットと１つの非不連続送信（ＤＴＸ）ビットとがある場合、３つの不連続送信（ＤＴＸ）ビットが、非不連続送信（ＤＴＸ）ビットで置き換えられることを含む。
【００５４】
動作（ＩＩ−５）は、Ｉブランチのビット（ｉ１，ｉ２）の中に１つのＤＴＸビットがある場合、ＩブランチのＤＴＸビットをＩブランチの非ＤＴＸビットで置き換えることを含む。すなわち、動作（ＩＩ−５）は、マッピング部への同相（Ｉ）入力ビットのうち１つだけが不連続送信（ＤＴＸ）ビットである場合、不連続送信（ＤＴＸ）ビットを、対である非不連続送信（ＤＴＸ）同相（Ｉ）入力ビットで置き換えることを含む。
【００５５】
動作（ＩＩ−６）は、Ｑブランチのビット（ｑ１，ｑ２）の中に１つのＤＴＸビットがある場合、ＱブランチのＤＴＸビットをＱブランチの非ＤＴＸビットで置き換えることを含む。すなわち、動作（ＩＩ−６）は、マッピング部への直交（Ｑ）入力ビットのうち１つだけが不連続送信（ＤＴＸ）ビットである場合、不連続送信（ＤＴＸ）ビットを、対である非不連続送信（ＤＴＸ）直交（Ｑ）入力ビットで置き換えることを含む。
【００５６】
図８は、マッピング部、例えば、図４Ａの送信機３４Ａ又は図４Ｂの送信機３４Ｂを動作させる、所定の方針の第３の例示的な実施形態及びモードを含む基本的で代表的な動作又はステップを説明する図である。他の実施形態の場合と同様、第３の例示的な実施形態及びモードにおいて、１６ＱＡＭマッピング部は、シンボルの１６ＱＡＭ信号点配置を使用する様に構成され、信号点の各シンボルは、振幅の集合｛Ａ２，Ａ１，−Ａ１，−Ａ２｝の１つの振幅を有する。
【００５７】
第３の例示的な実施形態及びモードは、動作（ＩＩＩ−１）から（ＩＩＩ−４）を含む。動作（ＩＩＩ−１）は、マッピング部への同相（Ｉ）入力ビットが共に不連続送信（ＤＴＸ）ビットである場合、マッピング部は、同相（Ｉ）出力からの送信を行わないことを含む。動作（ＩＩＩ−２）は、マッピング部への直交（Ｑ）入力ビットが共に不連続送信（ＤＴＸ）ビットである場合、マッピング部は、直交（Ｑ）出力からの送信を行わないことを含む。従って、まとめると、動作（ＩＩＩ−１）及び動作（ＩＩＩ−２）の結果として、Ｉブランチのビット（ｉ１，ｉ２）が共にＤＴＸビットである場合にはＩブランチでの送信は行われず、Ｑブランチのビット（ｑ１，ｑ２）が共にＤＴＸビットである場合にはＱブランチでの送信は行われない。
【００５８】
動作（ＩＩＩ−３）は、マッピング部への同相（Ｉ）入力ビットのうちの１つだけが不連続送信（ＤＴＸ）ビットである場合、不連続送信（ＤＴＸ）ビットを表２に従いダミー・ビットで置き換えることを含む。すなわち、Ｉブランチのビット（ｉ１，ｉ２）の中に１つのＤＴＸビットがある場合、ＩブランチのＤＴＸビットが表２に従ってダミー・ビットで置き換えられる。
【００５９】
動作（ＩＩＩ−４）は、マッピング部への直交（Ｑ）入力ビットのうちの１つだけが不連続送信（ＤＴＸ）ビットである場合、不連続送信（ＤＴＸ）ビットを表２に従いダミー・ビットで置き換えることを含む。すなわち、Ｑブランチのビット（ｑ１，ｑ２）の中に１つのＤＴＸビットがある場合、ＱブランチのＤＴＸが表２に従ってダミー・ビットで置き換えられる。
【００６０】
【表２】
0005442025.tif 000003
【００６１】
図９は、マッピング部、例えば、図４Ａの送信機３４Ａ又は図４Ｂの送信機３４Ｂを動作させる、所定の方針の第４の例示的な実施形態及びモードを含む基本的で代表的な動作又はステップを説明する図である。第４の例示的な実施形態及びモードは、動作（ＩＶ−１）から（ＩＶ−２）を含む。動作（ＩＶ−１）は、マッピング部への同相（Ｉ）入力ビット及び直交（Ｑ）入力ビットの総てが不連続送信（ＤＴＸ）ビットである場合、マッピング部は、同相（Ｉ）出力及び直交（Ｑ）出力からの送信を行わないことを含む。すなわち、総てのブランチのビット（ｉ１，ｉ２，ｑ１，ｑ２）がＤＴＸビットである場合、ＩブランチでもＱブランチでも送信が行われない。
【００６２】
動作（ＩＶ−２）は、マッピング部への入力４ビットの総てではなく、かつ、少なくとも１つが不連続送信（ＤＴＸ）ビットである場合、不連続送信（ＤＴＸ）ビットをランダムなダミー・ビットで置き換えることを含む。すなわち、他の総ての場合に、ＤＴＸビットがランダムなダミー・ビットで置き換えられる。
【００６３】
図１０は、マッピング部、例えば、図４Ａの送信機３４Ａ又は図４Ｂの送信機３４Ｂを動作させる、所定の方針の第５の例示的な実施形態及びモードを含む基本的で代表的な動作又はステップを説明する図である。第５の例示的な実施形態及びモードは、動作（Ｖ−１）、すなわち、不連続送信（ＤＴＸ）ビットである入力４ビットの総てを、マッピング部への入力ビットとしてランダムなダミー・ビットで置き換えることを含む。言い換えると、第５の実施形態では、ＤＴＸビットは常にランダムなダミー・ビットで置き換えられる。
【００６４】
第１、第４、第５の例示的な実施形態及びモードについて、ランダムなダミー・ビットは、ＭＢＳＦＮ送信に共に参加している他の無線基地局ノードとも協調して選択されることが望ましい。
【００６５】
ここで述べた、第１、第４及び第５の例示的な実施形態及びモードの各々は、ランダムなダミー・ビットの使用／選択を含む。図１１は、様々な例示的な実装においてランダムなダミー・ビットの選択に影響を与え得る、２つの見込まれる要因（例えば制約及び／又は基準）を示す図である。要因１１−１は、好ましくは、ランダムなダミー・ビットが、マッピング部への１６ＱＡＭ信号点配置の偏りのない平均出力を維持する様に選択されることを含む。要因１１−２は、ランダムなダミー・ビットが、ＭＢＳＦＮ送信に共に参加している他の無線基地局ノードと協調して選択されることを含む。言い換えれば、ランダムなダミー・ビットを含む実施形態において、ランダムなダミー・ビットは、ＭＢＳＦＮシステムに参加する総てのノードＢによって同じ方法で生成されるべきである。実装される限り、要因１１−１及び１１−２は、個別に実装されても良いし、組み合わせて実装されても良い。
【００６６】
ここで述べた１つ以上の所定の方針は、少なくとも一部の例示する文脈において、有形のコンピュータ可読媒体に記憶されたコード化された命令をコンピュータで実行することによって、コンピュータで実装され得る。
【００６７】
ここに開示した技術は、ＭＢＳＦＮシステム、例えばＭＢＳＦＮのＦＤＤ及びＭＢＳＦＮのＩＭＢにおけるＷＣＤＭＡのＦＡＣＨベースバンド処理が、１６ＱＡＭ信号点配置へマッピングされた場合のビットのＤＴＸ挿入を処理するための方法を提供する。データビット及びＤＴＸビット位置はランダムに生じ、かつ、４ビット（ｉ１，ｑ１，ｉ２，ｑ２）の範囲内で時間の経過と共に無相関になるので、記載した所定の方針のマッピング規則は、偏りのない信号点配置を提供する。これは、信号点配置における偏りの可能性についての推定及び補正を必要とせずに、データの正確な復調を端末が行えることを意味する。
【００６８】
以上の記述は、多くの特定の詳細を含んでいるけれども、これらは本発明の範囲を限定するものと解釈すべきではなく、本発明の現時点で好適な実施形態の一部の例を単に提供していると解釈すべきである。従って、理解されるであろうが、本発明の範囲は、当業者には明白になりうる他の実施形態を完全に包含しており、従って、本発明の範囲は過度に限定されない。単数形の要素への言及は、明示的にそう述べられない限り、“１つ、かつ唯一”を意味するのではなく、“１つ又はそれ以上”を意味することを意図している。当業者には周知の、上記の好適実施形態の諸要素に対するすべての構造的、化学的、及び機能的等価物は、本書によって明示的に包含される。加えて、デバイス又は方法が、本発明による解決が求められる問題をどれも欠かさず、それが本発明によって包含されることを目的として、扱うことは不要である。
【図１】
0005442025.tif 000004
【図２】
0005442025.tif 000005
【図３】
0005442025.tif 000006
【図４Ａ】
0005442025.tif 000007
【図４Ｂ】
0005442025.tif 000008
【図５】
0005442025.tif 000009
【図６】
0005442025.tif 000010
【図７】
0005442025.tif 000011
【図８】
0005442025.tif 000012
【図９】
0005442025.tif 000013
【図１０】
0005442025.tif 000014
【図１１】
0005442025.tif 000015